(57)【特許請求の範囲】
【請求項１】
商品の出し入れ用の開口を有する箱体と、この箱体に適宜のヒンジを介し上記開口を開閉するように設けた蓋体とからなるケースにおいて、上記箱体と蓋体との重なり合う周壁の所要位置片方に抜き差し自在に、かつ掛合関係になるキー部材の貫通部を、他方に前記キー部材に対する衝突を回避して上記ケースの閉鎖を保障するための衝突回避部をそれぞれ設け、また上記衝突回避部を有する上記周壁に貫通孔や凹入穴の掛合部を設け、さらに上記キー部材の末端に前記キー部材の挿入終了にともない上記掛合部に嵌入する掛合突片を設け、上記キー部材とケースとに前記キー部材の挿入終了にともない自動的に係合関係になる係止手段を設けたことを特徴とするケース。
【請求項２】
商品の出し入れ用の開口を有する箱体と、この箱体に適宜のヒンジを介し上記開口を開閉するように設けた蓋体とからなるケースにおいて、上記箱体と蓋体との重なり合う或いは対向する周壁の所要位置に前記周壁の開口に面した側から主壁側に向く対向一対の衝突回避部を設けて、この両衝突回避部に抜き差し自在にキー部材を挿入し、また上記衝突回避部を有する上記両周壁に貫通孔や凹入穴の掛合部を設け、さらに上記キー部材の末端に前記キー部材の挿入終了にともない上記掛合部に嵌入する掛合突片を設け、上記キー部材とケースとに前記キー部材の挿入終了にともない自動的に係合関係になる係止手段を設けたことを特徴とするケース。
【請求項３】
前記箱体及び蓋体のヒンジの反対側辺縁内側に点在的な配置で、かつ上記ケースの閉鎖時それぞれの閂挿通部が辺縁に沿う直列状に並ぶ閂掛止部を設け、また上記キー部材の貫通部及び衝突回避部を上記ヒンジと閂掛止部との間の周壁の前記閂掛止部寄りに設けると共に、上記キー部材に前記キー部材の挿入にともない上記直列状に並ぶ全ての閂挿通部に掛合状態に貫通する閂材を設けたことを特徴とする請求項１に記載のケース。
【請求項４】
前記箱体及び蓋体のヒンジの反対側辺縁内側に点在的な配置で、かつ上記ケースの閉鎖時それぞれの閂挿通部が辺縁に沿う直列状に並ぶ閂掛止部を設け、また上記キー部材の通過衝突回避部を上記ヒンジと閂掛止部との間の周壁の前記閂掛止部寄りに設けると共に、上記キー部材に前記キー部材の挿入にともない上記直列状に並ぶ全ての閂挿通部に掛合状態に貫通する閂材を設けたことを特徴とする請求項２に記載のケース。
【発明の詳細な説明】
【０００１】
【発明の属する技術分野】
この発明は、ケースに収納してある例えばＣＤカセットの音楽や映像を記録してあるディスクやビデオテープ、ゲームソフトなどの貸し出し商品やケースに収納してある各種販売商品の抜き取りを防止するケースに関する。
【０００２】
【従来の技術及びその課題】
従来、レンタルショップでの盗難防止手段としては、既知のように、ショップの棚にレンタル商品の収納ケースを並べておくと、ケースに開放防止の手段がないためケースからレンタル商品が抜き取られて盗難に遭う。
【０００３】
そこで、ショップの棚に空のケースを並べて陳列しておき、顧客が陳列してある所望のレンタル商品名の空のケースを取り出してカウンタに持参すると、カウンタ内の店員によって空のケースの表示レンタル商品を保管場所から取り出し、かつ所定のレンタル手段をして貸し出す。
【０００４】
このような手段を採用すると、顧客が直接レンタル商品に手をふれることがないので、レンタル商品の盗難を防止することができる。
【０００５】
しかしながら、店員による保管場所からのレンタル商品の選出や整然とした保管などによって著しく手数がかかり、かつスムーズな貸し出しが困難になると共に、広い保管場所を必要とするなどの問題があった。
【０００６】
一方、ショップの棚にレンタル商品の収納ケースを陳列し、顧客が陳列してある所望のレンタル商品をケースから取り出してカウンタに持参し、レンタル手続きをすることにより前述のような問題を解決することができる。
【０００７】
しかしながら、商品の収納ケースは、箱体と、この箱体の開口を開閉する蓋体とで構成され、かつ蓋体の開放を阻止する手段がないため、ケースから商品が抜き取られ、盗難が頻繁に発生する。
【０００８】
そこで、この発明は、ケースの開放を阻止して、商品の盗難を防止することにある。
【０００９】
【課題を解決するための手段】
上記の課題を解決するために、この発明は、商品の出し入れ用の開口を有する箱体と、この箱体に適宜のヒンジを介し上記開口を開閉するように設けた蓋体とからなるケースにおいて、上記箱体と蓋体との重なり合う周壁の所要位置片方に抜き差し自在に、かつ掛合関係になるキー部材の貫通部を、他方に前記キー部材に対する衝突を回避して上記ケースの閉鎖を保障するための衝突回避部をそれぞれ設け、また上記衝突回避部を有する上記周壁に貫通孔や凹入穴の掛合部を設け、さらに上記キー部材の末端に前記キー部材の挿入終了にともない上記掛合部に嵌入する掛合突片を設け、上記キー部材とケースとに前記キー部材の挿入終了にともない自動的に係合関係になる係止手段を設けたことを特徴とするケースを採用する。
【００１０】
また、商品の出し入れ用の開口を有する箱体と、この箱体に適宜のヒンジを介し上記開口を開閉するように設けた蓋体とからなるケースにおいて、上記箱体と蓋体との重なり合う或いは対向する周壁の所要位置に前記周壁の開口に面した側から主壁側に向く対向一対の衝突回避部を設けて、この両衝突回避部に抜き差し自在にキー部材を挿入し、また上記衝突回避部を有する上記両周壁に貫通孔や凹入穴の掛合部を設け、さらに上記キー部材の末端に前記キー部材の挿入終了にともない上記掛合部に嵌入する掛合突片を設け、上記キー部材とケースとに前記キー部材の挿入終了にともない自動的に係合関係になる係止手段を設けたことを特徴とするケースを採用する。
【００１１】
さらに、前記箱体及び蓋体のヒンジの反対側辺縁内側に点在的な配置で、かつ上記ケースの閉鎖時それぞれの閂挿通部が辺縁に沿う直列状に並ぶ閂掛止部を設け、また上記キー部材の貫通部及び衝突回避部を上記ヒンジと閂掛止部との間の周壁の前記閂掛止部寄りに設けると共に、上記キー部材に前記キー部材の挿入にともない上記直列状に並ぶ全ての閂挿通部に掛合状態に貫通する閂材を設けた構成や前記箱体及び蓋体のヒンジの反対側辺縁内側に点在的な配置で、かつ上記ケースの閉鎖時それぞれの閂挿通部が辺縁に沿う直列状に並ぶ閂掛止部を設け、また上記キー部材の通過衝突回避部を上記ヒンジと閂掛止部との間の周壁の前記閂掛止部寄りに設けると共に、上記キー部材に前記キー部材の挿入にともない上記直列状に並ぶ全ての閂挿通部に掛合状態に貫通する閂材を設けた構成を採用する。
【００１２】
【発明の実施の形態】
この発明の実施の形態を添付図面に基づいて説明する。
【００１３】
この発明の第１の実施形態に用いるケースＡは、図１及び図２に示すように、商品ａの出し入れ用の開口１を有する箱体２と、この箱体２に適宜のヒンジ３を介し開口１を開閉するように設けた蓋体４とで構成されている。
【００１４】
上記箱体２及び蓋体４は、主壁５と、この主壁５の周縁から連なって主壁５の裏面方向に突出する周壁６とで構成され、箱体２の周壁６の外側に蓋体４の周壁６を嵌装するようにしたが、嵌装を逆にしてもよい。
【００１５】
上記ヒンジ３は、図示の場合箱体２の下辺側周壁６にハーフカットのヒンジ３を介し蓋体４の主壁５を連成して形成したが、かならずしも限定されず、例えば突軸と穴（孔）との嵌め込み方式などであってもよい。
【００１６】
また、重なり合う周壁６、６の所要位置片方には、抜き差し自在に、かつ掛合関係になるキー部材７の貫通部８を、他方にキー部材７に対する衝突を回避してケースＡの完全な閉鎖を保障するための衝突回避部９が設けてある。
【００１７】
上記の貫通部８は、内側の周壁６に、衝突回避部９は、外側の周壁６の開口１に面した側から主壁５側に向く切り欠きにより（図示の場合）設けたが、内側の周壁６に衝突回避部９を、外側の周壁６に貫通部８を設けることも可能で、また貫通部８もキー部材７の板状体の外観に見合う長孔としたが、その他の軸材などのキー部材７の外観形状に見合う形状とする。勿論、衝突回避部９もキー部材７に対しスムーズに嵌り込む形状（コ字状など）にする。
【００１８】
なお、図示のように挿入するキー部材７の両側縁を案内するガイドレール１３を主壁５の内面に設けておくと、キー部材７のスムーズな挿入ができる。
【００１９】
さらに、衝突回避部９を有する周壁６に貫通孔や凹入穴の掛合部１１を設け、キー部材７の末端には、キー部材７の挿入終了にともない掛合部１１に嵌入する掛合突片１２が設けてある。
【００２０】
すると、キー部材７の挿入にともない貫通部８とキー部材７とが係合関係になり、掛合部１１と掛合突片１２との嵌り込み掛合によってケースＡの開放を阻止する。
【００２１】
また、キー部材７とケースＡとには、図６に示すキー部材７の挿入時に押し戻され、かつ挿入終了にともない押し戻しが解除されて自動的に係合関係になる係止手段Ｄが設けてある。
【００２２】
すると、お客によるキー部材７の引き抜きを阻止して、収納商品ａ（未包装のディスクに限定されない）の盗難をなくすることができる。
【００２３】
上記の係止手段Ｄは、店側の解除具Ｅを用いて係合関係を解除し、解除具Ｅと共にキー部材７を引き抜いて店側に回収すると、ケースＡが貸し出しや販売用とし使用することができる。
【００２４】
上記係止手段Ｄ及び解除具Ｅとしては、例えば特願２０００−３８２９２６号や特願２００１−２１７３３４号があり、例えば図示（図７及び図８）の場合は、キー部材７の側縁に外側縁がキー部材７の末端方向に向かう突出度合い徐々に大きくなるよう設けた係合爪３１と、ガイドレール１３の途中に係合爪３１が嵌入係止してキー部材７の引き抜きを阻止するように設けた係合孔３２とで構成し、キー部材７の挿入にともないガイドレール１３に当接する係合爪３１を押し戻し、キー部材７の挿入終了にともない係合爪３１と係合孔３２とが合致するので、ガイドレール１３に対し無接触になった係合爪３１の押し戻しがなくなり、係合孔３２に係合爪３１が自動的に嵌入して係合関係になる。すなわち、キー部材７の引き抜きが阻止される。
【００２５】
上記の解除具Ｅは、挿入口としての貫通部８や衝突回避部９から係合爪３１に向けて挿入すると共に、板状の解除具Ｅの先端から突出する先細り突片３３が係合爪３１からキー部材７の末端方向に突出する突出片３４とガイドレール１３との間に嵌入すると共に、嵌入の続行によって係合孔３２から係合爪３１を脱出（図９鎖線から実線に示す）させるように押し逃がして係合関係を解除する。
【００２６】
すると、解除具Ｅの引き抜きにともない押し逃がした係合爪３１の復元力による突出片３４の突片３３への圧接による摩擦抵抗により解除具Ｅと共にキー部材７を引き抜くことができる。
【００２７】
なお、摩擦抵抗の部分にスリップが発生する場合、図７に示すようにキー部材７と解除具Ｅとの対向面に嵌り込んで噛み合う（解除具Ｅの嵌入終了時点で）突起３５と凹部３６を設けておくと確実な同時引き抜きができる。
【００２８】
勿論、係止手段Ｄ及び解除具Ｅは、上記の構成に限定されない。
【００２９】
また、キー部材７に固有のＩＤコードをもち、ショップ側の出入口を通過の際出入口に設置の高周波電磁界の発生により共振回路が共振して固有のＩＤコードの発信にともない高周波電磁界を変調させるような盗難防止タグＣを埋込みや接着剤による取り付けなどで設けておくと、商品（ケース毎の）の不正な持ち出しによる盗難を防止することもできる。
【００３０】
この発明の第２の実施形態では、図３に示すように、第１の実施形態と同様のケースＡにおける箱体２と蓋体４との重なり合う或いは対向する周壁６、６の所要位置には、周壁６、６の開口１に面した側から主壁５側に向く一対の衝突回避部９、９が設けてあり、この両衝突回避部９、９に抜き差し自在にキー部材７を挿入する。
【００３１】
上記衝突回避部９、９を有する周壁６、６は、図示の場合重なり合う形式を採用したが、開口１の開放縁を突き合わせる形式を採用することもある。
【００３２】
また、衝突回避部９を有する両周壁６、６には、第１の実施形態と同様の掛合部１１が、キー部材７の末端には、キー部材７の挿入終了にともない掛合部１１に嵌入する掛合突片１２が設けてある。
【００３３】
すると、キー部材７の挿入終了にともない掛合部１１に掛合突片１２が嵌り込み掛合してケースＡの開放が阻止される。
【００３４】
さらに、キー部材７とケースＡとには、図６に示すキー部材７の挿入時に押し戻され、かつ挿入終了にともない押し戻しが解除されて自動的に係合関係になる係止手段Ｄ（図６に示すような）が設けてある。
【００３５】
すると、図７に示す係合関係によってお客によるキー部材７の引き抜きを阻止して、収納商品の盗難をなくすることができる。
【００３６】
上記係止手段Ｄの構成並びに作用、係止手段Ｄによる係合関係を解除する店側の解除具Ｅの構成並びに作用は、第１の実施形態と同様につき説明を省略する。
【００３７】
勿論、引き抜いた一部材７と共に解除具Ｅを店側に回収し、ケースＡは、貸し出しや販売用として使用する。
【００３８】
なお、第１及び第２の実施形態にあっては、掛合部１１に掛合突片１２を嵌入して掛合する方式のため、工具などを用いた掛合突片１２の押し広げができないため、掛合解除の回避ができる。
【００３９】
この発明の第３の実施形態では、図４から図９に示すように、第１の実施形態と同様のケースＡ（商品ａの出し入れ用の開口１を有する箱体２と、その箱体に適宜のヒンジ３を介し開口１を開閉する蓋体４とで構成されている）の箱体２及び蓋体４のヒンジ３の反対側辺縁の内側には、点在的な配置で、かつケースＡの閉鎖時それぞれの閂挿通部４１がケースＡの辺縁に沿う直列状に閂掛止部４２が設けてある。
【００４０】
そして、第１の実施形態と同様の貫通部８及び衝突回避部９が、ケースＡのヒンジ３と閂掛止部４２との間の重なり合う周壁６、６の閂掛止部４２寄りに設ける。
【００４１】
またケースＡの閉鎖にともない貫通部８に挿入するキー部材７には、キー部材７の挿入にともない図７に示すように直列状に並んで合致した閂挿通部４１に順次貫通する１本の閂材４３が設けてある。
【００４２】
すると、閂材４３と各閂掛止部４２との掛合関係によりケースＡのヒンジ３の反対側辺縁に無理矢理な開放方向の力を作用させても貫通状態にある閂材４３により開放を阻止する。
【００４３】
勿論、キー部材７側に掛合突片１２を、衝突回避部９を有する周壁６に掛合部１１を設けて、キー部材７の挿入終了時に掛合部１１に掛合突片１２を嵌入する。
【００４４】
上記の閂挿通部４１を有する閂掛止部４２は、図４及び図５に示すように、溝形のブロックを点在的に配置したが、図１０に示すように軸状の閂材４３が貫通する透孔を有する突片を設ける以外に、図１１に示すように閂材４３を抱き込むコ字状のブロックであってもよい。
【００４５】
要するに、挿入した閂材４３と閂掛止部４２とが掛合関係になればよい。
【００４６】
そして、点在的な配置で、ケースＡの閉鎖にともない噛み合い状になって直列状に並んだ閂掛止部４２の両端の閂掛止部４２をケースＡのコーナーに位置させることによって、コーナー部分に強い開放方向の力を作用させても開放を阻止する。
【００４７】
なお、閂材４３を有するキー部材７とケースＡとの対向面に第１及び第２の実施形態と同様の解除具Ｅを用いて、係合関係を解除することができる係止手段Ｄを設けてあるので、キー部材７と共に閂材４３の引き抜きを阻止して、客によるケースＡの開放を阻止する。
【００４８】
勿論、キー部材７に第１、第２の実施形態の盗難防止タグＣを設けてケースＡの店外の持ち出しを防止するとよい。
【００４９】
上記ケースＡの各部、係止手段Ｄ、解除具Ｅ、ガイドレール１３、掛合部１１、掛合突片１２は、第１、第２の実施形態と同様につき説明を省略する。
【００５０】
なお、貫通部８は、長孔以外に長孔の長辺縁（開口１側）の両端間を欠落（図５に示すように）させて、長孔の両端部とキー部材７の両側の縁とが引っかかるようにしてもよい。
【００５１】
この発明の第４の実施形態では、図１２に示すように、第２の実施形態の両周壁６、６に対向する衝突回避部２１、２１を有する（挿入キー部材７に掛合部１１に掛合突片１２を嵌入する方式）ケースＡにあって、このケースＡの箱体２及び蓋体４に閂挿通部４１を有する閂掛止部４２を、キー部材７に閂材４３を設けたもので、上述の対向する衝突回避部２１、２１は、ケースＡのヒンジ３と閂掛止部４１との間の重なり合う或いは対向する両周壁６、６の閂掛止部４２寄りに設ける。
【００５２】
すると、第３の実施形態と同様に両衝突回避部２１、２１にキー部材７を挿入すると、各閂掛止部４２の合致した閂挿通部４１に閂材４３が貫通する。
【００５３】
勿論、両衝突回避部２１、２１とキー部材７とに係合関係がないため、第２の実施形態と同様に、キー部材７と周壁６とに掛合突片１２及び掛合部１１を設けてケースＡの開放阻止を併設する。
【００５４】
なお、ケースＡの各部、併設する解除具Ｅを用いる係止手段Ｄ、ガイドレール１３、掛合手段Ｂ、キー部材７、盗難防止タグＣそして閂材４３、閂挿通部４１を有する閂掛止部４２は、第１、第２及び第３の実施形態と同様につき説明を省略する。
【００５５】
【発明の効果】
以上のように、この発明のケースによれば、挿入したキー部材の掛合突片をケースの周壁の掛合部に嵌入して掛合するようにしてあるので、キー部材の挿入によってケースの開放を阻止し、また係止手段によってお客によるキー部材の抜き取りを阻止する。
【００５６】
このため、ケースに収納してある商品の盗難を防止することができる。
【００５７】
また、キー部材に設けてある閂材を箱体及び蓋体の閂掛止部の閂挿通部に貫通させるので、ケースに無理に開放方向の力を作用させても、閂材により開放を阻止し、収納商品の盗難を防止する。
【図面の簡単な説明】
【図１】この発明の第１の実施形態の要部を示す斜視図
【図２】ケースにキー部材を挿入した縦断側面図
【図３】第２の実施形態の要部を示す斜視図
【図４】第３の実施形態のケースを示す展開平面図
【図５】同上の要部を示す斜視図
【図６】キー部材の斜視図
【図７】キー部材を挿入した一部切欠正面図
【図８】同上の横断平面図
【図９】同縦断側面図
【図１０】閂掛止部を示す斜視図
【図１１】他の閂掛止部を示す斜視図
【図１２】第４の実施形態の要部を示す斜視図
【符号の説明】
Ａ        ケース
Ｃ        盗難防止タグ
Ｄ        係止手段
Ｅ        解除具
ａ        商品
１        開口
２        箱体
３        ヒンジ
４        蓋体
５        主壁
６        周壁
７        キー部材
８        貫通部
９、２１  衝突回避部
１１      掛合部
１２      掛合突片
３１      係合爪
３２      係合孔
３３      突片
３４      突出片
４１      閂挿通部
４２      閂掛止部
４３      閂材
【図１】
0003545741.tif 000002
【図２】
0003545741.tif 000003
【図３】
0003545741.tif 000004
【図４】
0003545741.tif 000005
【図５】
0003545741.tif 000006
【図６】
0003545741.tif 000007
【図７】
0003545741.tif 000008
【図８】
0003545741.tif 000009
【図９】
0003545741.tif 000010
【図１０】
0003545741.tif 000011
【図１１】
0003545741.tif 000012
【図１２】
0003545741.tif 000013